(57)【特許請求の範囲】
【請求項１】
大便器の外郭を形成する袴部と汚物を受けるボウル部とを備える便器本体と、
前記便器本体の後方上部に設置され、給水源からの洗浄水をボウル部へ給水可能な電動開閉弁と、
前記電動開閉弁の開閉を制御するメイン制御部と、
商用電源からの電力を前記メイン制御部へ供給する第１の電源コードと、
前記商用電源の電力停止時に前記電動開閉弁の開閉を制御するサブ制御部と、
前記サブ制御部へ電力を供給する電池を格納する電池ボックスと、
前記サブ制御部と前記電池ボックスとを接続する第２の電源コードと、を備え、
前記電池ボックスは前記便器本体の袴部の外側面より内側に設置されているトイレ装置。
【請求項２】
大便器の外郭を形成する袴部と汚物を受けるボウル部とを備える便器本体と、
前記便器本体の後方上部に設置され、給水源からの洗浄水をボウル部へ給水する給水部と、を備え、
前記給水部は、
前記ボウル部へ給水する洗浄水を貯水し、底面に排水口を有する貯水タンクと、
給水源からの洗浄水を前記貯水タンクへ給水可能な電動開閉弁と、
前記貯水タンクの排水口を開閉する排水弁と、
前記排水弁を駆動する駆動ユニットと、を備えるものであり、
さらに、
前記電動開閉弁及び前記駆動ユニットを制御するメイン制御部と、
商用電源からの電力を前記メイン制御部へ供給する第１の電源コードと、
前記商用電源の電力停止時に前記電動開閉弁の開閉を制御するサブ制御部と、
前記サブ制御部へ電力を供給する電池を格納する電池ボックスと、
前記サブ制御部と前記電池ボックスとを接続する第２の電源コードと、を備え、
前記電池ボックスは前記便器本体の袴部の外側面より内側に設置されているトイレ装置。
【請求項３】
前記袴部は、施工用開口部と、その施工用開口部を塞ぐ化粧板とを備え、
前記電池ボックスは、前記施工用開口部に設置される請求項１または２に記載のトイレ装置。
【請求項４】
前記電池ボックスは、外郭を形成するケース本体と、前記ケース本体内部から引き出し自在に設けられ電池を保持する電池ホルダと、を備え、
前記ケース本体は前記施工用開口部に面ファスナーにより着脱自在に固定され、
前記面ファスナーは前記電池ホルダを前記ケース本体から引き出す際も前記固定を維持する請求項３に記載のトイレ装置。
【請求項５】
前記第１の電源コードの一端には前記商用電源接続用の接続プラグが設けられ、
前記便器本体の後方上面には前記第１の電源コードを通す第１の開口部と、前記第２の電源コードを通す第２の開口部とが設けられ、
前記第２の開口部は前記接続プラグが通らない大きさに形成されている請求項１乃至４のいずれかに記載のトイレ装置。
【請求項６】
前記排水弁の開閉を手動で操作する手動操作部を備え、
前記手動操作部の一端は前記施工用開口部からのぞむ位置に配置され、
前記袴部の内側には前記手動操作部の一部を案内する案内溝が形成されている請求項５記載のトイレ装置。
【発明の詳細な説明】
【技術分野】
【０００１】
本発明の態様は、一般的に、トイレ装置に関する。
【背景技術】
【０００２】
近年、トイレ装置では、洗浄水を水道から直接供給する水道直圧式のトイレ装置が普及し始めている。このような水道直圧式のトイレ装置では、給水路に設けられた電磁弁（電動開閉弁）を開放することで、水道直圧で供給される洗浄水を便器へ給水するようになっている。このような構成とすることで、１回の洗浄用の洗浄水全てを貯めておく貯水タンクを必要としないので、トイレ装置をコンパクトにすることができるという利点がある。
【０００３】
あるいは、貯水タンクを備えるトイレ装置であっても、その貯水タンクへの洗浄水の給水を電磁弁により行うことで、従来必要であったフロート付きのボールタップを必要としないので、トイレ装置をコンパクトにすることができる。
【０００４】
このようなトイレ装置では、洗浄水の給水を電磁弁により行っているため、商用電源の停電時にはその電磁弁が作動せず便器洗浄が行えないという問題がある。そのため、使用者は、別途用意したバケツに水を汲み、それを便器のボウル部に直接流すことで便器洗浄を行う必要があり、小さな子供やお年寄りには大きな負担となっていた。
【０００５】
このような停電時の不具合を解消することを目的として、電池式の電源を採用した局部洗浄器がある（特許文献１）。
【先行技術文献】
【特許文献】
【０００６】
【特許文献１】実開平７−２３０７１号公報
【発明の概要】
【発明が解決しようとする課題】
【０００７】
しかしながら、特許文献１記載の局部洗浄器では、電池を収納する電池ボックスが、便器本体上方に設置されたケーシングの外面に露出して、見栄えが悪く、さらにケーシングに小水等がかかると電池ボックス内の電池が腐食するなどといった不具合が生じる恐れがあった。
また、電池ボックスが便器本体上方に設置されたケーシングに設けられているため、ケーシングが大きくなりコンパクト化を実現できないという問題があった。
【０００８】
そこで、本発明は、上述した従来技術の問題点を解決するためになされたものであり、停電時に容易に便器洗浄を行うことが可能で、コンパクト且つ見栄えの良いトイレ装置を提供することを目的としている。
【課題を解決するための手段】
【０００９】
上記の目的を達成するために、第１の発明は、以下のような手段を採用している。すなわち、第１の発明のトイレ装置は、大便器の外郭を形成する袴部と汚物を受けるボウル部とを備える便器本体と、便器本体の後方上部に設置され、給水源からの洗浄水をボウル部へ給水可能な電動開閉弁と、電動開閉弁の開閉を制御するメイン制御部と、商用電源からの電力をメイン制御部へ供給する第１の電源コードと、商用電源の電力停止時に電動開閉弁の開閉を制御するサブ制御部と、サブ制御部へ電力を供給する電池を格納する電池ボックスと、サブ制御部と電池ボックスとを接続する第２の電源コードと、を備え、電池ボックスは便器本体の袴部の外側面より内側に設置されている。
【００１０】
このように構成された第１の発明においては、停電時に電力を供給する電池を格納する電池ボックスが、便器本体の袴部の外側面より内側に設置されているため、便器本体の袴部内の空間を有効利用でき、トイレ装置全体をコンパクトにすることができる。
なお、ここで袴部とは、ボウル部と一体的に形成された部分のみに限らず、別体で形成されたものも含む。
【００１１】
また、上記の目的を達成するために、第２の発明は、以下のような手段を採用している。すなわち、第２の発明のトイレ装置は、大便器の外郭を形成する袴部と汚物を受けるボウル部とを備える便器本体と、便器本体の後方上部に設置され、給水源からの洗浄水をボウル部へ給水する給水部と、を備え、給水部は、記ボウル部へ給水する洗浄水を貯水し、底面に排水口を有する貯水タンクと、給水源からの洗浄水を貯水タンクへ給水可能な電動開閉弁と、貯水タンクの排水口を開閉する排水弁と、排水弁を駆動する駆動ユニットと、を備えるものであり、さらに、電動開閉弁及び駆動ユニットを制御するメイン制御部と、商用電源からの電力をメイン制御部へ供給する第１の電源コードと、商用電源の電力停止時に電動開閉弁の開閉を制御するサブ制御部と、サブ制御部へ電力を供給する電池を格納する電池ボックスと、サブ制御部と電池ボックスとを接続する第２の電源コードと、を備え、電池ボックスは便器本体の袴部の外側面より内側に設置されている。
【００１２】
このように構成された第２の発明においては、停電時に電力を供給する電池を格納する電池ボックスが、便器本体の袴部の外側面より内側に設置されているため、便器本体の袴部内の空間を有効利用でき、トイレ装置全体をコンパクトにすることができる。
なお、ここで袴部とは、ボウル部と一体的に形成された部分のみに限らず、別体で形成されたものも含む。
【００１３】
また、第３の発明は、第１または第２の発明において、袴部は、後方に施工用開口部と、その施工用開口部を塞ぐ化粧板とを備え、電池ボックスは、施工用開口部に設置される。
【００１４】
このように構成された第３の発明においては、袴部は、後方に施工用開口部を備えるため、施工者はその施工用開口部を介してトイレ装置の施工を容易に行うことができる。また、電池ボックスは、その施工用開口部に設置されているため、電池ボックス内の電池の交換時に必要となる開口部を新たに設けることなく、施工用開口部と兼用できるため、見栄えを良くできる。さらに施工用開口部を塞ぐ化粧板が電池ボックスへの被水を防止する被水防止カバーの機能を果たすため、電池ボックスが被水し電池が腐食することを防止できる。
【００１５】
また、第４の発明は、第３の発明において、電池ボックスは、外郭を形成するケース本体と、ケース本体内部から引き出し自在に設けられ電池を保持する電池ホルダと、を備え、
ケース本体は施工用開口部に面ファスナーにより着脱自在に固定され、面ファスナーは電池ホルダをケース本体から引き出す際も固定を維持する。
【００１６】
このように構成された第４の発明においては、電池ボックスのケース本体が施工用開口部に面ファスナーによって固定されているため、施工や点検時に電池ボックスを取り外すことができ、電池ボックスが邪魔にならず、施工や点検を容易に行うことができる。また、電池ホルダをケース本体より引き出す際に、ケース本体が施工用開口部に固定された状態で維持されるため、電池ボックスの電池交換時に容易に電池交換を行うことができる。
【００１７】
また、第５の発明は、第１乃至第４の何れかの発明において、第１の電源コードの一端には商用電源接続用の接続プラグが設けられ、便器本体の後方上面には第１の電源コードを通す第１の開口部と、第２の電源コードを通す第２の開口部とが設けられ、第２の開口部は接続プラグが通らない大きさに形成されている。
【００１８】
このように構成された第５の発明においては、第１および第２の電源コードを便器本体後方上面の開口部を通してそれぞれの電源に接続できるため、第１及び第２の電源コードを外面に露出させず、見栄えの良いトイレ装置を提供することができる。また、第１の電源コードを、誤った開口部に通すことを防止でき、電源コードの破損や発火を防ぐことができる。
【００１９】
また、第６の発明は、第５の発明において、排水弁の開閉を手動で操作する手動操作部を備え、手動操作部の一端は施工用開口部からのぞむ位置に配置され、袴部の内側には手動操作部の一部を案内する案内溝が形成されている。
【００２０】
このように構成された第６の発明においては、手動操作部を、施工用開口部からのぞむ位置に適切に配置することができる。さらに、袴部の外側から使用者が手動操作部を操作する際に、手動操作部と袴部の内側との摺動抵抗を低減することができ、手動操作部の操作性を向上することができる。
【発明の効果】
【００２１】
本発明によれば、停電時に容易に便器洗浄を行うことが可能で、コンパクト且つ見栄えの良いトイレ装置を提供することができる。
【図面の簡単な説明】
【００２２】
【図１】本発明の実施の形態にかかるトイレ装置を表す斜視模式図である。
【図２】本実施形態にかかるトイレ装置の要部構成を表すブロック図である。
【図３】本実施形態にかかるトイレ装置の要部構成を表すブロック図である。
【図４】化粧板１４を取り外した施工用開口部１２を表す斜視模式図である。
【図５】操作リング４２の操作前と操作後を表す斜視模式図である。
【図６】本実施形態の電池ボックス３６を施工用開口部１２から取り外した際の斜視模式図である。
【図７】電池ボックス３６の電池ホルダ５４をケース本体５２から引き出した際の斜視模式図である。
【図８】本実施形態の電池ボックスの分解斜視模式図である。
【図９】本実施形態の電池ボックスにおいて、収納蓋５２ｂを開いた状態の斜視模式図である。
【図１０】本実施形態のケーシング４００の底面を下方から眺めた模式図である。
【図１１】便器本体２の平面模式図である。
【図１２】ケーシング４００を便器本体２へ取り付けるところを斜め上方から眺めた模式図である。
【図１３】商用電源コード１８を便器本体２の第１の開口部６２に通すところを斜め上方から眺めた模式図である。
【図１４】基盤側補助電源コード３８ａ及び連結部材４４を、第２の開口部６４へ通すところを斜め上方より眺めた模式図である。
【図１５】ケーシング４００の便器本体２への取り付け完了後の側面模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す斜視模式図である。
また、図２及び図３は、本実施形態にかかるトイレ装置の要部構成を表すブロック図である。
【００２４】
図１に表したように、本発明の実施形態によるトイレ装置１は、便器本体２と、この便器本体２の上に設けられた機能部１００と、を備える。機能部１００は、ケーシング４００と、便座４と、便蓋６と、を有する。便座４と便蓋６とは、ケーシング４００に対して開閉自在にそれぞれ軸支されている。便器本体２は、汚物を受けるボウル部８と、大便器の外郭を形成する袴部１０と、を備える。さらに、袴部１０の後方には、施工用開口部１２が形成され、その施工用開口部１２を塞ぐように化粧板１４が取り付けられている。
【００２５】
便器本体２の後方には、給水源から洗浄水を給水する給水ホース１６と、商用電源から電力を供給する商用電源コード１８（第１の電源コード）がそれぞれ延びている。
【００２６】
図２に表したように、ケーシング４００の内部には、便器洗浄用の洗浄水を貯水する貯水タンク２０と、貯水タンク２０に給水可能な給水電磁弁２２（電動開閉弁）と、貯水タンク２０の排水口２４を開閉し、ボウル部８への洗浄水の給水・止水を行う排水弁２６と、排水弁２６を駆動する駆動ユニット３０と、駆動ユニット３０の駆動及び給水電磁弁２２の開閉を制御するコントローラ３２と、を備える。ここで、コントローラ３２（メイン制御部）は、図１の商用電源コード１８により電力を供給されている（図示せず）。
【００２７】
さらに、本発明の実施形態においては、商用電源の停電時においても給水電磁弁２２及び排水弁２６を制御できるように各種工夫がなされている。
商用電源の停電時において、給水電磁弁２２を制御する給水電磁弁基盤３４（サブ制御部）と、この給水電磁弁基盤３４に電力を供給する電池を格納する電池ボックス３６と、給水電磁弁基盤３４と電池ボックス３６を接続する補助電源コード３８（第２の電源コード）と、を備えている。
【００２８】
また、駆動ユニット４０を手動で操作することができるように、駆動ユニットに連結したハンドル４０と、ハンドル４０を操作する操作リング４２と、ハンドル４０と操作リング４２とを連結する連結部材４４とを備えている。さらに、連結部材４４はスイッチ４６に接続しており、使用者が操作リング４２を操作することで、連結部材４４を介してスイッチ４６がＯＮになり、その信号が給水電磁弁基盤３４に送信されるように構成されている。
なお、本実施形態におけるコントローラ３２と、給水電磁弁基盤３４は、それぞれ別体に形成してもよいし、コントローラ３２の一部に給水電磁弁基盤３４が設けられるように形成してもよい。
【００２９】
ここで、停電時における便器洗浄動作について説明する。
まず、使用者は、操作リング４２を操作することで、ハンドル４０を介して駆動ユニット３０を動作させ、排水弁２６を「開」状態にする。これにより、貯水タンク２０内に貯水された洗浄水が、貯水タンク２０の排水口２４からボウル部８へ排水される。この動作と同時に、連結部材４４に接続されたスイッチ４６がＯＮになり、その信号が給水電磁弁基盤３４へ送信される。
給水電磁弁基盤３４は、その信号を受けて電池ボックス３６の電力により給水電磁弁２２を「開」状態にする。この動作により、貯水タンク２０には次回以降の便器洗浄のための給水が行われる。以上の一連の動作により、停電時において便器洗浄が可能となる。
このような構成とすることで、停電時においても、貯水タンク２０からボウル部８へ洗浄水を給水することができ、さらに次回以降の洗浄水を貯水タンク２０に給水することができる。したがって、停電時において容易に便器洗浄することができる。
【００３０】
ここで、本実施形態のケーシング４００の内部には、貯水タンク２０及び排水弁２６等が設けられているが、図３に表したように、貯水タンク２０及び排水弁２６等を設けずに水道直圧でボウル部８へ洗浄水を給水するようにしてもよい。図３の構成においては、操作リング４２を操作することで、連結部材４４に接続されたスイッチ４６がＯＮになり、その信号を受けた給水電磁弁基盤３４は、給水電磁弁２２を所定時間開放させる。そして、水道から供給される洗浄水を貯水タンク等に貯水することなく、ボウル部８へ直接給水する。このような構成とすれば、より簡易な構造で洗浄水をボウル部８へ給水することが可能となる。
【００３１】
次に、本実施形態のトイレ装置における電池ボックスについて説明する。
図４は、化粧板１４を取り外した施工用開口部１２を表す斜視模式図である。また、図５は、操作リング４２の操作前と操作後を表す斜視模式図である。
【００３２】
図４に示すように、本実施形態の電池ボックス３６は、袴部１０の後方に形成された施工用開口部１２の底面１２ａ上に設置されている。また、操作リング４２は、その施工用開口部１２からのぞむ位置に配置されている。そして、普段、施工用開口部１２は、化粧板１４により塞がれているため、電池ボックス３６及び操作リング４２は化粧板１４により覆われ、外面に露出しないようになっている。
ここで、施工用開口部１２は、トイレ装置１を床面に固定したり、またはケーシング４００を便器本体２上に固定したりする際に、施工者が容易に施工できるように設けられた開口部である。
【００３３】
操作リング４２は、図５に示すように、下方に引くことにより上述した停電時の便器洗浄動作を行うことが出来る。
【００３４】
次に、本実施形態のトイレ装置における電池ボックスの固定方法について説明する。
図６は、本実施形態の電池ボックス３６を施工用開口部１２から取り外した際の斜視模式図である。また、図７は、電池ボックス３６の電池ホルダ５４をケース本体５２から引き出した際の斜視模式図である。
【００３５】
図６に示すように、本実施形態においては、施工用開口部１２の底面１２ａに面ファスナー５０が設けられ、電池ボックス３６の底面にもその面ファスナー５０と結合する面ファスナー（図示せず）が設けられている。したがって、施工者が、その施工用開口部１２を介して施工する際や、便器本体２内部を点検する際も、電池ボックス３６が着脱自在に固定されているため、電池ボックスを容易に取り外すことができ、施工や点検が容易にできる。
【００３６】
図７に示すように、本実施形態の電池ボックス３６は、外郭を形成するケース本体５２と、ケース本体５２から引き出し自在に取り付けられ電池を保持する電池ホルダ５４とを備える。この電池ボックス３６の電池交換時には、電池ホルダ５４をケース本体５２から引き出すことになるが、この際もケース本体５２が施工用開口部１２に固定された状態を維持されるように、面ファスナー５０の固定強度が設定されている。
【００３７】
次に、本実施形態の電池ボックスの構造について説明する。
図８は、本実施形態の電池ボックスの分解斜視模式図である。
【００３８】
図８に示すように、本実施形態の電池ボックスは、ケース本体５２の上方が、後述するコネクタを収納する収納蓋になっている。さらに、ケース本体５２の下方には、ケース開口５２ａが設けられ、電池ホルダ５４が引き出し自在に収納されている。
また、電池ホルダ５４の一端には、電池ホルダ５４をケース本体５２内部に収納した際に、ケース開口５２を塞ぐ蓋体５４ａが形成されている。また、電池ホルダ５４には、乾電池を保持する電池保持部５４ｂが形成されている。
【００３９】
次に、図９は、本実施形態の電池ボックスにおいて、収納蓋５２ｂを開いた状態の斜視模式図である。
図９に示すように、電池ボックス３６の収納蓋５２ｂを開くと、その内部にボックス側補助電源コード３８ｂが設けられている。そして、このボックス側補助電源コード３８ｂは、給水電磁弁基盤３４に接続する基盤側補助電源コード３８ａとコネクタ（ボックス側コネクタ５６ｂ、基盤側コネクタ５６ａ）を介して接続されている。
本実施形態の電池ボックスにおいては、接続後のコネクタをコネクタ収納部５２ｃに収納し、収納蓋５２ｂを閉めることで、水や埃がコネクタ収納部５２ｃへ侵入しにくい構造となっている。
【００４０】
次に本実施形態のケーシング４００の便器本体２上面への取り付けについて説明する。
図１０は、本実施形態のケーシング４００の底面を下方から眺めた模式図である。また、図１１は便器本体２の平面模式図である。
【００４１】
図１０に示すように、ケーシング４００の底面には、ケーシング４００を便器本体２に固定するための４つの固定ボルト５８が設けられている。また、ケーシング４００の底面には給水ホース１６、基盤側補助電源コード３８ａ、連結部材４４、商用電源コード１８が下方に延びている。
【００４２】
また、図１１に示すように、便器本体２の後方上面には、固定ボルト５８を固定するための固定孔６０と、商用電源コード１８を通すための第１の開口６２、基盤側補助電源コード３８ａ及び連結部材４４を通すための第２の開口６４、給水ホース１６を通すための第３の開口６８が形成されている。
【００４３】
図１２は、ケーシング４００を便器本体２へ取り付けるところを斜め上方から眺めた模式図である。また、図１３は、商用電源コード１８を便器本体２の第１の開口部６２に通すところを斜め上方から眺めた模式図である。
【００４４】
図１２に示すように、ケーシング４００を便器本体２へ取り付ける際は、給水ホース１６を第３の開口部６８へ通し、固定ボルト５８を固定穴６０へ通す。そして、施工者は、施工用開口部１２より便器本体２内部へ手を挿入し、裏側から固定ボルト５８に対して図示しないナットを取り付ける。これにより、ケーシング４００は便器本体２に固定される。
【００４５】
図１３に示すように、ケーシング４００を便器本体２へ取り付ける際には、商用電源コード１８を第１の開口部６２へ通すことになるが、第１の開口部６２に近接する第２の開口部６４へ誤って通すことのないよう、第２の開口部６４の内径は商用電源コード１８のプラグ１８ａ（接続プラグ）の外径より小さく形成されている。その結果として、商用電源コード１８を誤って第２の開口部６４へ通すことを防止できる。したがって、商用電源コード１８がケーシング４００と便器本体２との間に挟まれて断線や発火するのを防止することができる。
【００４６】
図１４は、基盤側補助電源コード３８ａ及び連結部材４４を、第２の開口部６４へ通すところを斜め上方より眺めた模式図である。また、図１５は、ケーシング４００の便器本体２への取り付け完了後の側面模式図である。
【００４７】
図１４に示すように、本実施形態においては、基盤側補助電源コード３８ａ及び連結部材４４を、第２の開口部６４へ通すことができる。したがって、基盤側補助電源コード３８ａ及び連結部材４４を外面に露出することなく、隠蔽することができ、見栄えを良くすることができる。
【００４８】
さらに、図１５に示すように、便器本体２の袴部１０の内側に連結部材４４を案内する案内溝７０が形成されている。その結果として、連結部材４４を第２の開口部６４へ通した際に、連結部材４４を適切な位置に配置でき、結果として連結部材４４の一端に取り付けられた操作リング４２を施工用開口部１２からのぞむ位置に適切に配置させることができる。また、その案内溝７０が形成されることで、使用者が操作リング４２を操作する際に、連結部材４４と袴部１０の内側面との摩擦が低減され、容易に操作することができる。
【００４９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００５０】
１      トイレ装置
２      便器本体
４      便座
６      便蓋
８      ボウル部
１０    袴部
１２    施工用開口部
１２ａ  底面
１４    化粧版
１６    給水ホース
１８    商用電源コード
１８ａ  プラグ
２０    貯水タンク
２２    給水電磁弁（電動開閉弁）
２４    排水口
２６    排水弁
３０    駆動ユニット
３２    コントローラ
３４    給水電磁弁基盤
３６    電池ボックス
３８    補助電源コード
３８ａ  基盤側補助電源コード
３８ｂ  ボックス側補助電源コード
４０    ハンドル
４２    操作リング
４４    連結部材
４６    スイッチ
５０    面ファスナー
５２    ケース本体
５２ａ  ケース開口
５２ｂ  収納蓋
５２ｃ  コネクタ収納部
５４    電池ホルダ
５４ａ  蓋体
５４ｂ  電池保持部
５６ａ  基盤側コネクタ
５６ｂ  ボックス側コネクタ
５８    固定ボルト
６０    固定穴
６２    第１の開口部
６４    第２の開口部
６８    第３の開口部
７０    案内溝
【要約】
【課題】停電時に容易に便器洗浄を行うことが可能で、コンパクト且つ見栄えの良いトイレ装置を提供することを目的としている。
【解決手段】大便器の外郭を形成する袴部と汚物を受けるボウル部とを備える便器本体と、便器本体の後方上部に設置され、給水源からの洗浄水をボウル部へ給水可能な電動開閉弁と、電動開閉弁の開閉を制御するメイン制御部と、商用電源からの電力をメイン制御部へ供給する第１の電源コードと、商用電源の電力停止時に電動開閉弁の開閉を制御するサブ制御部と、サブ制御部へ電力を供給する電池を格納する電池ボックスと、サブ制御部と電池ボックスとを接続する第２の電源コードと、を備え、電池ボックスは便器本体の袴部の外側面より内側に設置されている。
【選択図】図４【図１】
0005229699.tif 000002
【図２】
0005229699.tif 000003
【図３】
0005229699.tif 000004
【図４】
0005229699.tif 000005
【図５】
0005229699.tif 000006
【図６】
0005229699.tif 000007
【図７】
0005229699.tif 000008
【図８】
0005229699.tif 000009
【図９】
0005229699.tif 000010
【図１０】
0005229699.tif 000011
【図１１】
0005229699.tif 000012
【図１２】
0005229699.tif 000013
【図１３】
0005229699.tif 000014
【図１４】
0005229699.tif 000015
【図１５】
0005229699.tif 000016